【手続補正書】
【提出日】平成25年5月2日(2013.5.2)
【手続補正１】
【補正対象書類名】明細書
【補正対象項目名】全文
【補正方法】変更
【補正の内容】
【発明の詳細な説明】
【発明の名称】検査治具
【技術分野】
【０００１】
本発明は検査治具に関し、詳しくは、ＢｔｏＢコネクタを介在させた電子機器の検査をする検査治具において、ＢｔｏＢコネクタへのＦＰＣ（Ｆｌｅｘｉｂｌｅ  Ｐｒｉｎｔｅｄ  Ｃｉｒｃｕｉｔｓ：フレキシブルプリント基板）の脱着を容易に且つ迅速安全に取り外すためにＦＰＣに取り付けられているＢｔｏＢコネクタを垂直方向に取り外す手段を備えた検査治具に関する。
【背景技術】
【０００２】
従来における検査治具として、特にＢｔｏＢコネクタを介在させた電子機器を検査する検査治具として、図６に示すように、検査基板１１に取り付けられている雌型コンタクト１２にＦＰＣ１３の雄型コンタクト１４を装着し、検査終了後に、装着したＦＰＣ１３を摘んで上方向に引っ張る等して取り外すというものである。
【先行技術文献】
【特許文献】
【０００３】
【特許文献１】特開２００１−１２３１０号公報
【発明の概要】
【発明が解決しようとする課題】
【０００４】
しかしながら、従来技術で説明した検査治具においては、ＢｔｏＢコネクタが搭載されているＦＰＣを検査治具から抜いて外すときに、ＢｔｏＢコネクタを掴んで上方向に引っ張る等しなければならず、抜き差しするとき、特に抜くときにコンタクト同士に捩れやこじりが発生してコネクタ自体に損傷を及ぼすという問題がある。
従って、検査治具に使用されるコネクタの抜き差しの際にコンタクトに損傷を及ぼさないようにすることに解決しなければならない課題を有する。
【課題を解決するための手段】
【０００５】
上記課題を解決するために、本願発明の検査治具は、次に示す構成にすることである。
【０００６】
（１）検査治具は、コネクタを取り付けた検査基板と、該検査基板の前端側に設けた検査用コンタクトと、を備えた検査治具であって、前記検査用コンタクトに差し込む被対象物のコンタクトを垂直方向に押し上げて前記検査用コンタクトに装着されているコンタクトをリリースさせるコンタクトリリース手段を備えたことである。
（２）前記コンタクトリリース手段は、前記検査基板に取り付けられている前記検査用コンタクトを臨ませるコンタクト係合窓を設けたコネクタガイド部の上面から被対象物のコンタクトを前記検査用コンタクトに装着させ、取り外すときに前記コネクタガイド部を垂直方向に持ち上げることで前記被対象物のコンタクトを取り外すことを特徴とする（１）に記載の検査治具。
【発明の効果】
【０００７】
本発明に係る検査治具は、コネクタ、特にＢｔｏＢコネクタを搭載しているＦＰＣの着脱に際して、コンタクトを垂直方向に取り外すことができるコンタクトリリース手段を設けた構造にしたことにより、検査対象物の夫々に取り付けるＦＰＣのＢｔｏＢコネクタにこじり等が発生しないで取り外すことが可能で、コネクタ自体の損傷を未然に防止できることに加えて、着脱する際のガイドも兼ねた構造となっているために着脱が円滑に行うことができ、時間的なロスを軽減することができる。
【図面の簡単な説明】
【０００８】
【図１】本発明に係る検査治具の斜視図である。
【図２】本発明に係る検査治具をガイド部側からみた斜視図である。
【図３】本発明に係るＦＰＣを装着した検査治具の斜視図である。
【図４】本発明に係る検査治具のＦＰＣを装着した様子を示す断面図である。
【図５】本発明に係る検査治具のＦＰＣを取り外した様子を示す断面図である。
【図６】従来技術の検査治具の斜視図である。
【発明を実施するための最良の形態】
【０００９】
本願発明に係る検査治具の実施形態について、図面を参照して説明する。
【００１０】
本発明に係る検査治具は、図１乃至図３、図４及び図５に示すように、検査基板１１の後端部にコネクタ１５を取り付け、前端部であってＢｔｏＢ雌型コンタクト１２を取り付けた位置にＢｔｏＢ雄型コンタクトを備えたＦＰＣのコンタクトを取り外すコンタクトリリース手段を備えた構成になっている。
【００１１】
コンタクトリリース手段は、検査基板に取り付けられている検査用コンタクトであるＢｔｏＢ雌型コンタクト１２にコネクトされているＦＰＣ１３のＢｔｏＢ雄型コンタクト１４を垂直方向に引き抜くもので、略コ字型形状に形成され、コンタクトリリース部１６を回動自在に載置する台座１７と、雌型コンタクト１２を臨ませる大きさに切欠いたコンタクト係合窓１９を設け、このコンタクト係合窓１９を設けた回りにＦＰＣ１３の先端側に設けた雄型コンタクト１４の位置決め及びガイドも兼ねたコネクタガイド部１８を備えた構成になっている。
【００１２】
コンタクトリリース部１６は、略中央位置に回動軸を挿通させる軸穴を設け、後端側に復帰バネ２１を係合するバネ係合部２２を設け、先端側にコネクタガイド部１８を設けた構造となっている。
【００１３】
コネクタガイド部１８は、略中央位置に雌型コンタクト１２を臨ませるコンタクト係合窓１９を設け、その周囲が平面の載置部で奥行き及び両側が壁で覆われた構造となっている。この奥行きの壁と両側の壁はＦＰＣ１３が装着し易いようにテーパーになっている。
【００１４】
コンタクト係合窓１９は、長方形の雌型コンタクト１２を収容できる大きさに開口され、開口した四方面の面取り加工を施した構成となっている。
【００１５】
このような構造のコンタクトリリース手段を備えた検査治具において、特に図４に示すように、ＦＰＣ１３を装着するときに、ＦＰＣ１３の雄型コンタクト１４をコネクタガイド部１８に載せるようにして臨んでいる雌型コンタクト１２に装着する。
【００１６】
次に、特に図５に示すように、装着したＦＰＣ１３の検査が終了した後には、ＦＰＣ１３を取り外すために、コンタクトリリース部１６の復帰バネ２１が装着している箇所を押すことで、軸を中心にして回動し、コネクタガイド部１８が垂直方向に押し上げられる。そうするとＦＰＣ１３の雄型コンタクト１４が垂直上方向に押し上げられ雌型コンタクト１２に装着されている状態が取り外される。
【産業上の利用可能性】
【００１７】
コネクタ、特にＢｔｏＢコネクタを搭載しているＦＰＣの着脱に際して、コンタクトを垂直方向に取り外すことができるコンタクトリリース手段を設けた構造にしたことにより、検査対象物の夫々に取り付けるＦＰＣのＢｔｏＢコネクタにこじり等が発生しないで取り外すことが可能で、コネクタ自体の損傷を未然に防止できることに加えて、着脱する際のガイドも兼ねた構造となっている検査治具を提供する。
【符号の説明】
【００１８】
１１      検査基板
１２      雌型コンタクト
１３      ＦＰＣ
１４      雄型コンタクト
１５      コネクタ
１６      コンタクトリリース部
１７      台座
１８      コネクタガイド部
１９      コンタクト係合窓
２１      復帰バネ
２２      バネ係合部
【手続補正２】
【補正対象書類名】特許請求の範囲
【補正対象項目名】全文
【補正方法】変更
【補正の内容】
【特許請求の範囲】
【請求項１】
コネクタを取り付けた検査基板と、
該検査基板の前端側に設けた検査用コンタクトと、
を備えた検査治具であって、
前記検査用コンタクトに差し込む被対象物のコンタクトを垂直方向に押し上げて前記検査用コンタクトに装着されているコンタクトをリリースさせるコンタクトリリース手段を備えたことを特徴とする検査治具。
【請求項２】
前記コンタクトリリース手段は、前記検査基板に取り付けられている前記検査用コンタクトを臨ませるコンタクト係合窓を設けたコネクタガイド部の上面から被対象物のコンタクトを前記検査用コンタクトに装着させ、取り外すときに前記コネクタガイド部を垂直方向に持ち上げることで前記被対象物のコンタクトを取り外すことを特徴とする請求項１に記載の検査治具。